(57)【特許請求の範囲】
【請求項１】
連続して搬送される２枚のシートのうち、先行のシートをシート搬送方向上流側の第１搬送ローラー、下流側の第２搬送ローラーの順に搬送し、当該先行のシートの搬送方向後端が前記第２搬送ローラーを通過してから、次のシートの搬送方向先端が前記第１搬送ローラーを通過後、前記第２搬送ローラーに至るまでの間に当該第２搬送ローラーを停止させる搬送制御を実行するシート搬送装置であって、
前記第２搬送ローラーを回転させるための３相ブラシレスモーターと、
電源と前記３相ブラシレスモーターの３相コイル端子ＴＵ，ＴＶ，ＴＷとの間を接続するスイッチング回路と、
前記スイッチング回路を前記３相ブラシレスモーターのモーター角に基づき制御して、当該３相ブラシレスモーターを回転させるモーター制御装置と、
を備え、
前記スイッチング回路は、
前記電源から前記３相コイル端子ＴＵ，ＴＶ，ＴＷへのそれぞれの通電経路ごとに設けられ、当該電源から当該コイル端子への電流供給と停止を切り換えるスイッチ部と、
前記コイル端子ＴＵとＴＶの第１の組、ＴＶとＴＷの第２の組、ＴＷとＴＵの第３の組のうち任意の組を選択的に短絡状態に切換可能な短絡回路部と、
を備え、
前記各スイッチ部は、電流供給の停止状態において前記コイル側から前記電源側への一方向にのみ電流を流すダイオードを含み、
前記モーター制御装置は、
前記３相ブラシレスモーターの回転中に前記モーター角を取得する取得手段と、
回転中の前記３相ブラシレスモーターを停止させる際の制動時に、前記各スイッチ部に電流供給を停止させつつ、前記短絡回路部に、前記モーター角が０°〜６０°と１８０°〜２４０°の間では前記第１の組のみ、６０°〜１２０°と２４０°〜３００°の間では前記第３の組のみ、１２０°〜１８０°と３００°〜３６０°の間では前記第２の組のみが短絡状態になるように順次切り換えさせる２相短絡切換制御を実行する制御手段と、
を備え、
回転する第２搬送ローラーを停止させる際に前記３相ブラシレスモーターの制動制御を実行する場合に、前記モーター制御装置による２相短絡切換制御を用いることを特徴とするシート搬送装置。
【請求項２】
前記スイッチング回路は、
前記電源の正極側の端子から前記コイル端子ＴＵ，ＴＶ，ＴＷへのそれぞれのハイサイド側の通電経路ごとに設けられた３組のハイサイドスイッチと、
前記コイル端子ＴＵ，ＴＶ，ＴＷのそれぞれから前記電源の負極側の端子までのそれぞれのローサイド側の通電経路ごとに設けられた３組のローサイドスイッチと、を備え、
前記各スイッチ部が前記各ハイサイドスイッチに相当し、
前記短絡回路部は、前記３組のローサイドスイッチに相当することを特徴とする請求項１に記載のシート搬送装置。
【請求項３】
前記３つのハイサイドスイッチを便宜的に第１，第２，第３スイッチとし、
前記３つのローサイドスイッチを便宜的に第４，第５，第６スイッチとしたとき、
前記制御手段は、
前記３相ブラシレスモーターの回転駆動時には、前記第１スイッチが０°〜１２０°のモーター角の間のみ導通状態になり、前記第２スイッチが１２０°〜２４０°のモーター角の間のみ導通状態になり、前記第３スイッチが２４０°〜３６０°のモーター角の間のみ導通状態になり、前記第４スイッチが１８０°〜３００°のモーター角の間のみ導通状態になり、前記第５スイッチが０°〜６０°および３００°〜３６０°のモーター角の間のみ導通状態になり、前記第６スイッチが６０°〜１８０°のモーター角の間のみ導通状態に切り換わるように、前記第１〜第６スイッチのそれぞれに対して駆動信号を出力することを特徴とする請求項２に記載のシート搬送装置。
【請求項４】
前記制御手段は、
前記２相短絡切換制御には、
前記第１，第２，第３スイッチを非導通とする駆動信号を出力しつつ、
前記第４スイッチに、前記回転駆動時における第１スイッチへの駆動信号の出力波形と第４スイッチへの駆動信号の出力波形との論理和をとった波形の駆動信号を出力し、
前記第５スイッチに、前記回転駆動時における第２スイッチへの駆動信号の出力波形と第５スイッチへの駆動信号の出力波形との論理和をとった波形の駆動信号を出力し、
前記第６スイッチに、前記回転駆動時における第３スイッチへの駆動信号の出力波形と第６スイッチへの駆動信号の出力波形との論理和をとった波形の駆動信号を出力することにより、前記短絡状態にする組の切り換えを実行することを特徴とする請求項３に記載のシート搬送装置。
【請求項５】
前記制御手段は、
前記回転駆動時に出力される第１〜第６スイッチのそれぞれに対する駆動信号に基づき前記論理和をとる演算を実行して、前記２相短絡切換制御における第４，第５，第６スイッチのそれぞれに出力する駆動信号を生成する演算部を備えることを特徴とする請求項４に記載のシート搬送装置。
【請求項６】
回転する像担持体上に画像を形成する画像形成装置であって、
前記像担持体を回転させるための３相ブラシレスモーターと、
電源と前記３相ブラシレスモーターの３相コイル端子ＴＵ，ＴＶ，ＴＷとの間を接続するスイッチング回路と、
前記スイッチング回路を前記３相ブラシレスモーターのモーター角に基づき制御して、当該３相ブラシレスモーターを回転させるモーター制御装置と、
を備え、
前記スイッチング回路は、
前記電源から前記３相コイル端子ＴＵ，ＴＶ，ＴＷへのそれぞれの通電経路ごとに設けられ、当該電源から当該コイル端子への電流供給と停止を切り換えるスイッチ部と、
前記コイル端子ＴＵとＴＶの第１の組、ＴＶとＴＷの第２の組、ＴＷとＴＵの第３の組のうち任意の組を選択的に短絡状態に切換可能な短絡回路部と、
を備え、
前記各スイッチ部は、電流供給の停止状態において前記コイル側から前記電源側への一方向にのみ電流を流すダイオードを含み、
前記モーター制御装置は、
前記３相ブラシレスモーターの回転中に前記モーター角を取得する取得手段と、
回転中の前記３相ブラシレスモーターを停止させる際の制動時に、前記各スイッチ部に電流供給を停止させつつ、前記短絡回路部に、前記モーター角が０°〜６０°と１８０°〜２４０°の間では前記第１の組のみ、６０°〜１２０°と２４０°〜３００°の間では前記第３の組のみ、１２０°〜１８０°と３００°〜３６０°の間では前記第２の組のみが短絡状態になるように順次切り換えさせる２相短絡切換制御を実行する制御手段と、
を備え、
回転する像担持体を停止させる際に前記３相ブラシレスモーターの制動制御を実行する場合に、前記モーター制御装置による２相短絡切換制御を用いることを特徴とする画像形成装置。
【請求項７】
前記スイッチング回路は、
前記電源の正極側の端子から前記コイル端子ＴＵ，ＴＶ，ＴＷへのそれぞれのハイサイド側の通電経路ごとに設けられた３組のハイサイドスイッチと、
前記コイル端子ＴＵ，ＴＶ，ＴＷのそれぞれから前記電源の負極側の端子までのそれぞれのローサイド側の通電経路ごとに設けられた３組のローサイドスイッチと、を備え、
前記各スイッチ部が前記各ハイサイドスイッチに相当し、
前記短絡回路部は、前記３組のローサイドスイッチに相当することを特徴とする請求項６に記載の画像形成装置。
【請求項８】
前記３つのハイサイドスイッチを便宜的に第１，第２，第３スイッチとし、
前記３つのローサイドスイッチを便宜的に第４，第５，第６スイッチとしたとき、
前記制御手段は、
前記３相ブラシレスモーターの回転駆動時には、前記第１スイッチが０°〜１２０°のモーター角の間のみ導通状態になり、前記第２スイッチが１２０°〜２４０°のモーター角の間のみ導通状態になり、前記第３スイッチが２４０°〜３６０°のモーター角の間のみ導通状態になり、前記第４スイッチが１８０°〜３００°のモーター角の間のみ導通状態になり、前記第５スイッチが０°〜６０°および３００°〜３６０°のモーター角の間のみ導通状態になり、前記第６スイッチが６０°〜１８０°のモーター角の間のみ導通状態に切り換わるように、前記第１〜第６スイッチのそれぞれに対して駆動信号を出力することを特徴とする請求項７に記載の画像形成装置。
【請求項９】
前記制御手段は、
前記２相短絡切換制御には、
前記第１，第２，第３スイッチを非導通とする駆動信号を出力しつつ、
前記第４スイッチに、前記回転駆動時における第１スイッチへの駆動信号の出力波形と第４スイッチへの駆動信号の出力波形との論理和をとった波形の駆動信号を出力し、
前記第５スイッチに、前記回転駆動時における第２スイッチへの駆動信号の出力波形と第５スイッチへの駆動信号の出力波形との論理和をとった波形の駆動信号を出力し、
前記第６スイッチに、前記回転駆動時における第３スイッチへの駆動信号の出力波形と第６スイッチへの駆動信号の出力波形との論理和をとった波形の駆動信号を出力することにより、前記短絡状態にする組の切り換えを実行することを特徴とする請求項８に記載の画像形成装置。
【請求項１０】
前記制御手段は、
前記回転駆動時に出力される第１〜第６スイッチのそれぞれに対する駆動信号に基づき前記論理和をとる演算を実行して、前記２相短絡切換制御における第４，第５，第６スイッチのそれぞれに出力する駆動信号を生成する演算部を備えることを特徴とする請求項９に記載の画像形成装置。
【請求項１１】
スキャナーを移動して原稿画像を読み取る画像読取装置であって、
前記スキャナーを移動させるための３相ブラシレスモーターと、
電源と前記３相ブラシレスモーターの３相コイル端子ＴＵ，ＴＶ，ＴＷとの間を接続するスイッチング回路と、
前記スイッチング回路を前記３相ブラシレスモーターのモーター角に基づき制御して、当該３相ブラシレスモーターを回転させるモーター制御装置と、
を備え、
前記スイッチング回路は、
前記電源から前記３相コイル端子ＴＵ，ＴＶ，ＴＷへのそれぞれの通電経路ごとに設けられ、当該電源から当該コイル端子への電流供給と停止を切り換えるスイッチ部と、
前記コイル端子ＴＵとＴＶの第１の組、ＴＶとＴＷの第２の組、ＴＷとＴＵの第３の組のうち任意の組を選択的に短絡状態に切換可能な短絡回路部と、
を備え、
前記各スイッチ部は、電流供給の停止状態において前記コイル側から前記電源側への一方向にのみ電流を流すダイオードを含み、
前記モーター制御装置は、
前記３相ブラシレスモーターの回転中に前記モーター角を取得する取得手段と、
回転中の前記３相ブラシレスモーターを停止させる際の制動時に、前記各スイッチ部に電流供給を停止させつつ、前記短絡回路部に、前記モーター角が０°〜６０°と１８０°〜２４０°の間では前記第１の組のみ、６０°〜１２０°と２４０°〜３００°の間では前記第３の組のみ、１２０°〜１８０°と３００°〜３６０°の間では前記第２の組のみが短絡状態になるように順次切り換えさせる２相短絡切換制御を実行する制御手段と、
を備え、
移動するスキャナーを停止させる際に前記３相ブラシレスモーターの制動制御を実行する場合に、前記モーター制御装置による２相短絡切換制御を用いることを特徴とする画像読取装置。
【請求項１２】
前記スイッチング回路は、
前記電源の正極側の端子から前記コイル端子ＴＵ，ＴＶ，ＴＷへのそれぞれのハイサイド側の通電経路ごとに設けられた３組のハイサイドスイッチと、
前記コイル端子ＴＵ，ＴＶ，ＴＷのそれぞれから前記電源の負極側の端子までのそれぞれのローサイド側の通電経路ごとに設けられた３組のローサイドスイッチと、を備え、
前記各スイッチ部が前記各ハイサイドスイッチに相当し、
前記短絡回路部は、前記３組のローサイドスイッチに相当することを特徴とする請求項１１に記載の画像読取装置。
【請求項１３】
前記３つのハイサイドスイッチを便宜的に第１，第２，第３スイッチとし、
前記３つのローサイドスイッチを便宜的に第４，第５，第６スイッチとしたとき、
前記制御手段は、
前記３相ブラシレスモーターの回転駆動時には、前記第１スイッチが０°〜１２０°のモーター角の間のみ導通状態になり、前記第２スイッチが１２０°〜２４０°のモーター角の間のみ導通状態になり、前記第３スイッチが２４０°〜３６０°のモーター角の間のみ導通状態になり、前記第４スイッチが１８０°〜３００°のモーター角の間のみ導通状態になり、前記第５スイッチが０°〜６０°および３００°〜３６０°のモーター角の間のみ導通状態になり、前記第６スイッチが６０°〜１８０°のモーター角の間のみ導通状態に切り換わるように、前記第１〜第６スイッチのそれぞれに対して駆動信号を出力することを特徴とする請求項１２に記載の画像読取装置。
【請求項１４】
前記制御手段は、
前記２相短絡切換制御には、
前記第１，第２，第３スイッチを非導通とする駆動信号を出力しつつ、
前記第４スイッチに、前記回転駆動時における第１スイッチへの駆動信号の出力波形と第４スイッチへの駆動信号の出力波形との論理和をとった波形の駆動信号を出力し、
前記第５スイッチに、前記回転駆動時における第２スイッチへの駆動信号の出力波形と第５スイッチへの駆動信号の出力波形との論理和をとった波形の駆動信号を出力し、
前記第６スイッチに、前記回転駆動時における第３スイッチへの駆動信号の出力波形と第６スイッチへの駆動信号の出力波形との論理和をとった波形の駆動信号を出力することにより、前記短絡状態にする組の切り換えを実行することを特徴とする請求項１３に記載の画像読取装置。
【請求項１５】
前記制御手段は、
前記回転駆動時に出力される第１〜第６スイッチのそれぞれに対する駆動信号に基づき前記論理和をとる演算を実行して、前記２相短絡切換制御における第４，第５，第６スイッチのそれぞれに出力する駆動信号を生成する演算部を備えることを特徴とする請求項１４に記載の画像読取装置。
【請求項１６】
前記モーター制御装置は、
前記３相ブラシレスモーターが回転していない待機中の間にも前記２相短絡切換制御を実行することを特徴とする請求項１１〜１５のいずれか１項に記載の画像読取装置。
【発明の詳細な説明】
【技術分野】
【０００１】
本発明は、３相ブラシレスモーターの制動時の回転制御に関する。
【背景技術】
【０００２】
プリンターなどの画像形成装置には、画像形成の対象となるシートを搬送するシート搬送装置が備えられている。
シート搬送装置は、通常、シートの搬送路に沿ってシートの搬送方向長さよりも短い間隔をおいて複数の搬送ローラーを配置し、シート搬送方向の上流側のローラーから下流側のローラーにシートを次々に引き渡すことにより搬送する構成がとられる。
【０００３】
シート搬送の具体例としては、像担持体への画像形成のタイミングに応じてシートを転写位置に搬送する、いわゆるレジスト動作がある。
レジスト動作は、搬送方向に沿って搬送ローラーと、これよりも下流側のタイミングローラーが配されている場合に、搬送ローラーで１枚のシートを搬送しつつ、そのシートの搬送方向先端を、下流側で停止している一対のタイミングローラーに突き当てて、そのシートの先端側に、スキュー（斜行）を補正するためのループ（撓み）が形成されると、搬送ローラーを一時停止し、その後、画像形成のタイミングに応じて搬送ローラーとタイミングローラーの双方の回転を開始（搬送再開）するものである。
【０００４】
連続して搬送される複数枚のシートに対してプリント動作が行われる場合には、先行のシートの搬送方向後端がタイミングローラーを通過するとタイミングローラーを停止させ、その後、次のシートに対する上記のレジスト動作が開始される。この先行のシートと次のシートの間隔、いわゆる紙間を短くするほど、単位時間当たりのプリント枚数が多くなり、プリントの生産性を高めることができる。
【０００５】
上記のレジスト動作を実行する構成において紙間を短くするには、先行のシートの搬送方向後端がタイミングローラーを通過後、次のシートの搬送方向先端がタイミングローラーに到達するまでに要する時間をできるだけ短くすれば良く、この時間を短くするには、次のシートの搬送開始タイミングを早めれば良い。
ところが、次のシートの搬送方向先端がタイミングローラーに到達するまでの間にタイミングローラーの停止が完了していなければループ形成を行うことができない。このことから紙間を短縮するには、タイミングローラーの停止をより早く完了させる必要が生じる。タイミングローラーの回転駆動は通常、モーターにより行われている。例えば、３相ブラシレスモーターが用いられる場合、停止時のモーターの制動方法として、３相ブラシレスモーターの３相を同時に短絡させる、いわゆる３相短絡ブレーキが知られている。
【先行技術文献】
【特許文献】
【０００６】
【特許文献１】特開２０１３−２４３８２４号公報
【発明の概要】
【発明が解決しようとする課題】
【０００７】
近年、プリントの生産性のさらなる向上が求められており、プリントの生産性をさらに向上させるには、上記のレジスト動作を実行する制御において３相短絡ブレーキよりも制動性が高い制動方法が必要になる。
上記では、画像形成装置のレジスト動作に関してモーターの高制動性が必要になることを説明したが、これに限られず、高制動性が求められる装置一般についても同様である。
【０００８】
本発明は、上記の問題点に鑑みてなされたものであって、高制動性を実現可能なモーター制御装置、シート搬送装置、画像形成装置、画像読取装置およびモーター制御方法を提供することを目的としている。
【課題を解決するための手段】
【０００９】
上記目的を達成するため、本発明に係るシート搬送装置は、連続して搬送される２枚のシートのうち、先行のシートをシート搬送方向上流側の第１搬送ローラー、下流側の第２搬送ローラーの順に搬送し、当該先行のシートの搬送方向後端が前記第２搬送ローラーを通過してから、次のシートの搬送方向先端が前記第１搬送ローラーを通過後、前記第２搬送ローラーに至るまでの間に当該第２搬送ローラーを停止させる搬送制御を実行するシート搬送装置であって、前記第２搬送ローラーを回転させるための３相ブラシレスモーターと、電源と前記３相ブラシレスモーターの３相コイル端子ＴＵ，ＴＶ，ＴＷとの間を接続するスイッチング回路と、前記スイッチング回路を前記３相ブラシレスモーターのモーター角に基づき制御して、当該３相ブラシレスモーターを回転させるモーター制御装置と、を備え、前記スイッチング回路は、前記電源から前記３相コイル端子ＴＵ，ＴＶ，ＴＷへのそれぞれの通電経路ごとに設けられ、当該電源から当該コイル端子への電流供給と停止を切り換えるスイッチ部と、前記コイル端子ＴＵとＴＶの第１の組、ＴＶとＴＷの第２の組、ＴＷとＴＵの第３の組のうち任意の組を選択的に短絡状態に切換可能な短絡回路部と、を備え、前記各スイッチ部は、電流供給の停止状態において前記コイル側から前記電源側への一方向にのみ電流を流すダイオードを含み、前記モーター制御装置は、前記３相ブラシレスモーターの回転中に前記モーター角を取得する取得手段と、回転中の前記３相ブラシレスモーターを停止させる際の制動時に、前記各スイッチ部に電流供給を停止させつつ、前記短絡回路部に、前記モーター角が０°〜６０°と１８０°〜２４０°の間では前記第１の組のみ、６０°〜１２０°と２４０°〜３００°の間では前記第３の組のみ、１２０°〜１８０°と３００°〜３６０°の間では前記第２の組のみが短絡状態になるように順次切り換えさせる２相短絡切換制御を実行する制御手段と、を備え、回転する第２搬送ローラーを停止させる際に前記３相ブラシレスモーターの制動制御を実行する場合に、前記モーター制御装置による２相短絡切換制御を用いることを特徴とする。
【００１０】
また、前記スイッチング回路は、前記電源の正極側の端子から前記コイル端子ＴＵ，ＴＶ，ＴＷへのそれぞれのハイサイド側の通電経路ごとに設けられた３組のハイサイドスイッチと、前記コイル端子ＴＵ，ＴＶ，ＴＷのそれぞれから前記電源の負極側の端子までのそれぞれのローサイド側の通電経路ごとに設けられた３組のローサイドスイッチと、を備え、前記各スイッチ部が前記各ハイサイドスイッチに相当し、前記短絡回路部は、前記３組のローサイドスイッチに相当するとしても良い。
【００１１】
ここで、前記３つのハイサイドスイッチを便宜的に第１，第２，第３スイッチとし、前記３つのローサイドスイッチを便宜的に第４，第５，第６スイッチとしたとき、前記制御手段は、前記３相ブラシレスモーターの回転駆動時には、前記第１スイッチが０°〜１２０°のモーター角の間のみ導通状態になり、前記第２スイッチが１２０°〜２４０°のモーター角の間のみ導通状態になり、前記第３スイッチが２４０°〜３６０°のモーター角の間のみ導通状態になり、前記第４スイッチが１８０°〜３００°のモーター角の間のみ導通状態になり、前記第５スイッチが０°〜６０°および３００°〜３６０°のモーター角の間のみ導通状態になり、前記第６スイッチが６０°〜１８０°のモーター角の間のみ導通状態に切り換わるように、前記第１〜第６スイッチのそれぞれに対して駆動信号を出力するとしても良い。
【００１２】
ここで、前記制御手段は、前記２相短絡切換制御には、前記第１，第２，第３スイッチを非導通とする駆動信号を出力しつつ、前記第４スイッチに、前記回転駆動時における第１スイッチへの駆動信号の出力波形と第４スイッチへの駆動信号の出力波形との論理和をとった波形の駆動信号を出力し、前記第５スイッチに、前記回転駆動時における第２スイッチへの駆動信号の出力波形と第５スイッチへの駆動信号の出力波形との論理和をとった波形の駆動信号を出力し、前記第６スイッチに、前記回転駆動時における第３スイッチへの駆動信号の出力波形と第６スイッチへの駆動信号の出力波形との論理和をとった波形の駆動信号を出力することにより、前記短絡状態にする組の切り換えを実行するとしても良い。
【００１３】
ここで、前記制御手段は、前記回転駆動時に出力される第１〜第６スイッチのそれぞれに対する駆動信号に基づき前記論理和をとる演算を実行して、前記２相短絡切換制御における第４，第５，第６スイッチのそれぞれに出力する駆動信号を生成する演算部を備えるとしても良い。
【００１４】
さらに、本発明に係る画像形成装置は、回転する像担持体上に画像を形成する画像形成装置であって、前記像担持体を回転させるための３相ブラシレスモーターと、電源と前記３相ブラシレスモーターの３相コイル端子ＴＵ，ＴＶ，ＴＷとの間を接続するスイッチング回路と、前記スイッチング回路を前記３相ブラシレスモーターのモーター角に基づき制御して、当該３相ブラシレスモーターを回転させるモーター制御装置と、を備え、前記スイッチング回路は、前記電源から前記３相コイル端子ＴＵ，ＴＶ，ＴＷへのそれぞれの通電経路ごとに設けられ、当該電源から当該コイル端子への電流供給と停止を切り換えるスイッチ部と、前記コイル端子ＴＵとＴＶの第１の組、ＴＶとＴＷの第２の組、ＴＷとＴＵの第３の組のうち任意の組を選択的に短絡状態に切換可能な短絡回路部と、を備え、前記各スイッチ部は、電流供給の停止状態において前記コイル側から前記電源側への一方向にのみ電流を流すダイオードを含み、前記モーター制御装置は、前記３相ブラシレスモーターの回転中に前記モーター角を取得する取得手段と、回転中の前記３相ブラシレスモーターを停止させる際の制動時に、前記各スイッチ部に電流供給を停止させつつ、前記短絡回路部に、前記モーター角が０°〜６０°と１８０°〜２４０°の間では前記第１の組のみ、６０°〜１２０°と２４０°〜３００°の間では前記第３の組のみ、１２０°〜１８０°と３００°〜３６０°の間では前記第２の組のみが短絡状態になるように順次切り換えさせる２相短絡切換制御を実行する制御手段と、を備え、回転する像担持体を停止させる際に前記３相ブラシレスモーターの制動制御を実行する場合に、前記モーター制御装置による２相短絡切換制御を用いることを特徴とする。
【００１５】
また、本発明に係る画像読取装置は、スキャナーを移動して原稿画像を読み取る画像読取装置であって、前記スキャナーを移動させるための３相ブラシレスモーターと、電源と前記３相ブラシレスモーターの３相コイル端子ＴＵ，ＴＶ，ＴＷとの間を接続するスイッチング回路と、前記スイッチング回路を前記３相ブラシレスモーターのモーター角に基づき制御して、当該３相ブラシレスモーターを回転させるモーター制御装置と、を備え、前記スイッチング回路は、前記電源から前記３相コイル端子ＴＵ，ＴＶ，ＴＷへのそれぞれの通電経路ごとに設けられ、当該電源から当該コイル端子への電流供給と停止を切り換えるスイッチ部と、前記コイル端子ＴＵとＴＶの第１の組、ＴＶとＴＷの第２の組、ＴＷとＴＵの第３の組のうち任意の組を選択的に短絡状態に切換可能な短絡回路部と、を備え、前記各スイッチ部は、電流供給の停止状態において前記コイル側から前記電源側への一方向にのみ電流を流すダイオードを含み、前記モーター制御装置は、前記３相ブラシレスモーターの回転中に前記モーター角を取得する取得手段と、回転中の前記３相ブラシレスモーターを停止させる際の制動時に、前記各スイッチ部に電流供給を停止させつつ、前記短絡回路部に、前記モーター角が０°〜６０°と１８０°〜２４０°の間では前記第１の組のみ、６０°〜１２０°と２４０°〜３００°の間では前記第３の組のみ、１２０°〜１８０°と３００°〜３６０°の間では前記第２の組のみが短絡状態になるように順次切り換えさせる２相短絡切換制御を実行する制御手段と、を備え、移動するスキャナーを停止させる際に前記３相ブラシレスモーターの制動制御を実行する場合に、前記モーター制御装置による２相短絡切換制御を用いることを特徴とする。
【００１６】
ここで、前記モーター制御装置は、前記３相ブラシレスモーターが回転していない待機中の間にも前記２相短絡切換制御を実行するとしても良い。
【発明の効果】
【００１７】
上記の構成により３相ブラシレスモーターの制動時において、３相コイル端子ＴＵ，ＴＶ，ＴＷのうち、短絡させる２つのコイル端子の組の切換ごとに当該組への切換の瞬間に、当該組に属しないコイル端子のコイルの誘導起電力により当該コイルに電源よりも高電圧のピーク波形の電圧が生じ場合に、当該誘導起電力による電流を当該コイルに対応するスイッチ部のダイオードを介してスイッチング回路の外の電源側に逃がすことができる。
【００１８】
電源側には通常、バイパスコンデンサーや他の電気部品が電源線に接続されており、スイッチング回路から電源側に流れた電流がバイパスコンデンサーに流れ込んで蓄電されたり電源線や他の電気部品に含まれる抵抗成分によりジュール熱として消費されたりする。
このことは、ピーク波形の電圧を生じさせた誘導起電力のエネルギーをスイッチング回路の外の電源側で消費できることを意味し、スイッチング回路内だけで消費する３相短絡ブレーキよりもそのエネルギー消費が行われ易くなり、それだけ制動性が向上する。
【図面の簡単な説明】
【００１９】
【図１】プリンターの全体の構成を示す図である。
【図２】給送動作のタイミングチャートを示す図である。
【図３】モーター制御部とモーターの構成を示すブロック図である。
【図４】スイッチング回路の構成を示す図である。
【図５】モーターの回転駆動時におけるホール信号と駆動信号の波形の例を示すタイミングチャートである。
【図６】２相短絡切換制御時におけるモーター角と駆動信号との対応関係を示す図である。
【図７】２相短絡切換制御時におけるホール信号と駆動信号の波形の例を示すタイミングチャートである。
【図８】（ａ）〜（ｆ）は、モーターの制動時に実行される２相短絡切換制御におけるスイッチング回路とコイルＵ，Ｖ，Ｗの電流の流れの様子を模式的に示す図である。
【図９】電源線と各種電気部品の接続関係の例を示す図である。
【図１０】画像読取装置の構成例を示す図である。
【図１１】３相ブラシレスモーターに対するブレーキ（制動）時と駆動時に出力される駆動命令とブレーキ命令のそれぞれのタイミングチャートとモーター回転数のグラフの例を示す図である。
【発明を実施するための形態】
【００２０】
以下、本発明に係るモータ制御装置、画像形成装置などの実施の形態を、タンデム型カラープリンター（以下、単に「プリンター」という。）を例にして説明する。
〔１〕プリンターの全体構成
図１は、プリンター１の全体の構成を示す図である。
同図に示すように、プリンター１は、周知の電子写真方式により画像を形成するものであり、画像プロセス部１０と、中間転写部２０と、給送部３０と、定着部４０と、全体制御部５０と、モーター制御部６０を備え、ネットワーク（例えばＬＡＮ）に接続されて、外部の端末装置（不図示）からの印刷（プリント）ジョブの実行指示を受け付けると、その指示に基づいてイエロー（Ｙ）、マゼンタ（Ｍ）、シアン（Ｃ）およびブラック（Ｋ）色からなるカラーの画像形成を実行する。
【００２１】
画像プロセス部１０は、Ｙ〜Ｋ色のそれぞれに対応する作像部１０Ｙ、１０Ｍ、１０Ｃ、１０Ｋを備えている。
作像部１０Ｙは、矢印Ａ方向に回転する感光体ドラム１１と、その周囲に配設された帯電部１２、露光部１３、現像部１４、一次転写ローラー１５および感光体ドラム１１を清掃するためのクリーナー１６などを備えており、感光体ドラム１１上にＹ色のトナー像を作像する。この構成は、他の作像部１０Ｍ、１０Ｃ、１０Ｋについて同様であり、同図では符号を省略している。各感光体ドラム１１上に、対応する色のトナー像が作像される。
【００２２】
中間転写部２０は、矢印方向に周回走行される中間転写ベルト２１と、中間転写ベルト２１を張架する駆動ローラー２２と従動ローラー２３と、中間転写ベルト２１を挟んで駆動ローラー２２と対向する位置に配され、中間転写ベルト２１に圧接される二次転写ローラー２４などを備える。
給送部３０は、シート搬送装置として機能し、給紙カセット３１と、ピックアップローラー３２と、搬送ローラー対３３と、タイミングローラー対３４などを備える。以下、搬送ローラー対とタイミングローラー対を、一対であることを示す必要がある場合を除いて、それぞれ搬送ローラーとタイミングローラーと称する。
【００２３】
給紙カセット３１は、記録用のシートとしての用紙Ｓを収容する。
ピックアップローラー３２は、給紙カセット３１から用紙Ｓを搬送路３９に繰り出し、搬送ローラー３３は、繰り出された用紙Ｓを、さらに搬送方向下流側に向けて搬送する。
タイミングローラー３４は、搬送ローラー３３により搬送されて来る用紙Ｓを二次転写ローラー２４に送り出すタイミングをとるためのローラーである。
【００２４】
ピックアップローラー３２は、モーター５により回転駆動され、搬送ローラー３３は、モーター６により回転駆動され、タイミングローラー３４は、モーター７により回転駆動される。なお、給送部３０以外の感光体ドラム１１や中間転写ベルト２１などの各回転体については、他のモーター（不図示）により回転駆動される。
モーター７は、３つのコイルＵ，Ｖ，Ｗを有する３相ブラシレスモーターであり、他のモーターは、ＤＣブラシレスモーターが用いられている。
【００２５】
モーター７を３相ブラシレスモーターとしているのは、回転中のタイミングローラー３４を停止させる場合のモーター７の制動（ブレーキ）制御として、後述の２相短絡切換制御を適用することにより、モーター７の減速開始から停止までに要する時間をより短縮して、プリントの生産性を向上させるためである。
モーター７の回転軸とタイミングローラー３４とは、不図示の減速ギアを有する駆動伝達機構を介して連結されるが、モーター７のブレーキ力ができるだけ遅延せずにタイミングローラー３４に伝達されるように、例えばギアのバックラッシュを少なくした構成などが好ましい。ダイレクトドライブ方式とすることもできる。
【００２６】
定着部４０は、定着ローラー４１と加圧ローラー４２を備え、所定の定着温度で用紙Ｓを加熱、加圧してトナー像を定着させる。
全体制御部５０は、外部の端末装置からの画像信号をＹ〜Ｋ色用のデジタル信号に変換し、作像部１０Ｙ〜１０Ｋごとに、その露光部１３を駆動させるための駆動信号を生成して、その駆動信号により露光部１３を駆動させる。これにより各露光部１３からレーザービームＬが出射され、感光体ドラム１１が露光走査される。
【００２７】
この露光走査を受ける前に作像部１０Ｙ〜１０Ｋごとに、その感光体ドラム１１が帯電部１２により一様に帯電されており、レーザービームＬの露光により感光体ドラム１１上に静電潜像が形成され、その静電潜像が現像部１４の現像剤により現像されて、感光体ドラム１１上にトナー像が形成される。
各感光体ドラム１１上に形成されたトナー像は、一次転写ローラー１５により中間転写ベルト２１上に一次転写される。この際、各色の作像動作は、そのトナー像が中間転写ベルト２１上の同じ位置に多重転写されるようにタイミングをずらして実行される。
【００２８】
中間転写ベルト２１上に多重転写された各色トナー像は、中間転写ベルト２１の周回走行により、二次転写ローラー２４が中間転写ベルト２１に圧接される位置である二次転写位置２４１に移動する。この二次転写位置２４１が中間転写ベルト２１（像担持体）上のトナー像を用紙Ｓに転写するための転写位置になる。
上記の作像動作のタイミングに合わせて、給送部３０からは、タイミングローラー３４を介して用紙Ｓが給送されて来ており、その用紙Ｓは、周回走行する中間転写ベルト２１と二次転写ローラー２４の間に挟まれて搬送され、二次転写ローラー２４に供給される二次転写電圧により生じる電界による静電力の作用を受けて、二次転写位置２４１において、中間転写ベルト２１上の各色トナー像が一括して用紙Ｓに二次転写される。
【００２９】
二次転写位置２４１を通過した用紙Ｓは、定着部４０に搬送され、ここでトナー像が加熱、加圧により用紙Ｓに定着された後、排出ローラー対４３を介して排出され、収容トレイ４４に収容される。
搬送路３９の近傍であり、ピックアップローラー３２よりも用紙搬送方向下流かつ搬送ローラー３３よりも用紙搬送方向上流であり搬送ローラー３３の近傍の位置には、搬送されている用紙Ｓを検出するための用紙検出センサー３７が配置されている。
【００３０】
また、搬送ローラー３３よりも用紙搬送方向下流かつタイミングローラー３４よりも用紙搬送方向上流でありタイミングローラー３４の近傍の位置には、搬送されている用紙Ｓを検出するための用紙検出センサー３８が配置されている。
用紙検出センサー３７と３８のそれぞれは、用紙Ｓを１枚ごとに、その用紙Ｓの搬送方向先端（用紙の先端）と後端（用紙の後端）を検出すると、その検出信号をモーター制御部６０に送る。
【００３１】
モーター制御部６０（モーター制御装置）は、全体制御部５０からの指示に基づき各モーターの回転と停止を制御する。また、モーター制御部６０は、用紙検出センサー３７，３８の検出信号に基づき、モーター５〜７を制御して、用紙Ｓの給紙カセット３１からの繰り出し動作、用紙Ｓの搬送、用紙Ｓの先端部にループＬｐを形成するレジスト動作などを含む給送動作を実行する。
【００３２】
〔２〕給送動作
図２は、給紙カセット３１から２枚の用紙Ｓを１枚ずつ連続して繰り出す場合の給送動作を示すタイミングチャートである。以下、１枚目の用紙Ｓを用紙Ｓ１、２枚目の用紙Ｓを用紙Ｓ２という。
同図に示すようにモーター制御部６０は、時点ｔ０においてモーター５の回転駆動を開始（ＯＮ）させる。これにより、ピックアップローラー３２の回転が開始され、用紙Ｓ１が給紙カセット３１から繰り出される。
【００３３】
給紙カセット３１から繰り出された用紙Ｓ１の先端が用紙検出センサー３７により検出されると（時点ｔ１）、モーター制御部６０は、モーター６の回転を開始させる。これにより、搬送ローラー３３の回転が開始され、用紙Ｓ１の先端が搬送ローラー３３に至ると、回転中の搬送ローラー３３により用紙Ｓ１が搬送される。
モーター制御部６０は、内蔵されるタイマー（不図示）により時点ｔ１から計時を開始し、時点ｔ１から所定時間Ｔ１の経過時にモーター５の回転を停止（ＯＦＦ）させる。これにより、ピックアップローラー３２の回転が停止される。なお、ピックアップローラー３２には、ワンウエイクラッチが内蔵されており、回転駆動が停止されても、搬送される用紙Ｓ１に従動回転（図１では反時計方向に回転）することが許容される構成なので、搬送ローラー３３による用紙Ｓ１の搬送に支障が生じることはない。
【００３４】
搬送ローラー３３により搬送される用紙Ｓ１の先端が用紙検出センサー３８により検出（時点ｔ２）されてから所定時間Ｔ２を経過すると、モーター制御部６０は、モーター６の回転を停止させる。これにより、搬送ローラー３３の回転が停止される。
用紙Ｓ１の先端が用紙検出センサー３８により検出された時点ｔ２では、モーター７が停止状態、すなわちタイミングローラー３４が停止状態にある。
【００３５】
用紙Ｓ１の先端が用紙検出センサー３８により検出（時点ｔ２）されてから、停止中のタイミングローラー対３４のニップ（一方と他方のローラー同士が相互に接している部分）に到達した後、回転中の搬送ローラー３３が停止するまでの間、用紙Ｓ１の先端が停止しつつ用紙Ｓ１の後端側が搬送ローラー３３により搬送されるので、用紙Ｓ１の先端部にループＬｐ（図１の破線で示す部分）が形成される。
【００３６】
ループＬｐの大きさ（撓み量）は、所定時間Ｔ２の長さにより決まるので、所定の大きさのループＬｐが確保されるように所定時間Ｔ２の長さが予め決められる。
モーター制御部６０は、時点ｔ２からｔ３までの間にモーター６と７を停止させることにより、搬送ローラー３３とタイミングローラー３４の両方を停止させて、用紙Ｓ１を一時停止させる。なお、図示していないが二次転写ローラー２４は、搬送ローラー３３とタイミングローラー３４の停止に関わりなく、所定のシステムスピードでの回転が画像形成開始から継続されている。
【００３７】
時点ｔ３は、作像部１０Ｙ〜１０Ｋによる作像動作（画像形成）のタイミングに基づく用紙Ｓの搬送再開タイミングを示しており、全体制御部５０から１枚の用紙Ｓごとに、その搬送再開タイミングを示す指示信号がモーター制御部６０に送信される。
モーター制御部６０は、全体制御部５０からの指示信号を受け付けると（時点ｔ３）、モーター６と７の回転駆動を開始させる。これにより、搬送ローラー３３とタイミングローラー３４の両方の回転が開始され、一時停止されていた用紙Ｓ１の搬送が再開され、用紙Ｓ１がシステムスピードで二次転写位置２４１に向けて搬送される。この時点ｔ２〜ｔ３間の動作がレジスト動作に相当する。
【００３８】
用紙Ｓ１の後端が用紙検出センサー３７により検出されると（時点ｔ４）、モーター制御部６０は、モーター５の回転を開始させる。これにより、ピックアップローラー３２の回転が開始され、用紙Ｓ２が給紙カセット３１から繰り出される。
モーター制御部６０は、時点ｔ４から所定時間Ｔ３の経過時にモーター６の回転を停止させる。これにより、搬送ローラー３３の回転が停止される。なお、所定時間Ｔ３は、用紙Ｓ１の後端が用紙検出センサー３７により検出されてから、用紙Ｓ１の後端が搬送ローラー３３を通過するまでに要する時間に相当する。
【００３９】
用紙Ｓ１の後端が用紙検出センサー３８により検出（時点ｔ５）されてから所定時間Ｔ４の経過時に、モーター制御部６０は、モーター７の回転を停止させるために２相短絡切換制御による制動（ブレーキ）を開始する。これにより、タイミングローラー３４の回転が停止される。このことは、以降も同様である。
次に、用紙Ｓ２の先端が用紙検出センサー３７により検出されると（時点ｔ６）、モーター制御部６０は、モーター６の回転を開始させる。これにより、搬送ローラー３３の回転が開始され、用紙Ｓ２の先端が搬送ローラー３３に至ると、回転中の搬送ローラー３３により用紙Ｓ２が搬送される。
【００４０】
モーター制御部６０は、時点ｔ６から所定時間Ｔ５の経過時にモーター５の回転を停止させる。これにより、ピックアップローラー３２の回転が停止される。
搬送中の用紙Ｓ２の先端が用紙検出センサー３８により検出（時点ｔ７）されてから、所定時間Ｔ２を経過すると、モーター制御部６０は、モーター６の回転を停止させる。これにより、搬送ローラー３３の回転が停止され、用紙Ｓ２の搬送が一時停止される。搬送ローラー３３の回転の停止までの間に用紙Ｓ２の先端部にループＬｐが形成される。
【００４１】
モーター制御部６０は、用紙Ｓ２の搬送再開タイミングを示す指示信号を受け付けると（時点ｔ８）、モーター６と７の回転駆動を開始させる。これにより、一時停止されていた用紙Ｓ２の搬送が再開され、用紙Ｓ２が二次転写位置２４１に向けて搬送される。
モーター制御部６０は、用紙Ｓ２の後端が用紙検出センサー３７により検出（時点ｔ９）されてから所定時間Ｔ３の経過時にモーター６の回転を停止させる。これにより、搬送ローラー３３の回転が停止される。
【００４２】
そして、用紙Ｓ２の後端が用紙検出センサー３８により検出（時点ｔ１０）されてから所定時間Ｔ４の経過時に、モーター制御部６０は、モーター７の回転を停止させるために２相短絡切換制御による制動（ブレーキ）を開始する。これにより、タイミングローラー３４の回転が停止される。図２では、２枚の用紙Ｓを１枚ずつ連続して給送する場合の例を説明したが、用紙Ｓの枚数が３枚以上でも基本的に同様であり、用紙Ｓ２に対する動作と同じ動作が３枚目以降の用紙Ｓごとに繰り返される。
【００４３】
このように複数枚の用紙Ｓを１枚ずつ給送する場合、プリントの生産性を向上させる方法の一つに先行の用紙Ｓと次の用紙Ｓとの間隔（紙間）を短縮する方法がある。図２において用紙Ｓ１とＳ２の紙間は、時点ｔ５〜ｔ８までの区間に相当する。
用紙Ｓ１とＳ２の紙間は、用紙Ｓ１の後端と用紙Ｓ２の先端との間の距離に等しいので、用紙Ｓの搬送速度を一定とすれば、先行の用紙Ｓ１に対する次の用紙Ｓ２の繰り出し開始タイミング（時点ｔ４）をできるだけ早くすることにより短縮できるはずである。
【００４４】
例えば、用紙Ｓ２の繰り出し開始タイミングを時点ｔ４から太い実線で示す時点ｔ２１まで前倒しすれば、用紙Ｓ２の先端が用紙検出センサー３７により検出されるタイミングが太い実線で示す時点ｔ２２になり、用紙Ｓ２の先端が用紙検出センサー３８により検出されるタイミングが太い実線で示す時点ｔ２３になる。
このことは、用紙Ｓ２の先端がより早いタイミングでタイミングローラー３４まで到達することを意味し、それだけ用紙Ｓ２に対するレジスト動作の開始も前倒しされ、これに伴って用紙Ｓ２の搬送再開タイミング（時点ｔ８）も前倒しが可能できることになる。
【００４５】
ところが、仮に、用紙Ｓ２の先端がタイミングローラー３４に到達した時点（時点ｔ２３直後）で、未だ、先行の用紙Ｓ１の搬送終了によるタイミングローラー３４の停止が完了（時点ｔ２４）していない、すなわち減速中であれば、その減速中のタイミングローラー３４により用紙Ｓ２の先端部が搬送されてしまう。
レジスト動作によるループＬｐの形成は、タイミングローラー３４の停止を前提に実行されるので、減速中とはいえ、回転しているタイミングローラー３４により用紙Ｓ２が少しでも搬送されてしまうと、用紙Ｓ２の先端部に所定の大きさよりも小さいループＬｐしか形成できなくなる。
【００４６】
また、レジスト動作後に用紙Ｓ２の二次転写位置２４１への搬送を再開した場合、用紙Ｓ２の先端が二次転写位置２４１に到達するタイミングが本来のタイミングよりもレジスト動作時にタイミングローラー３４で搬送された分だけ早くなる。このようになれば、中間転写ベルト２１上のトナー像が二次転写位置２４１に到達した時点で既に用紙Ｓ２の先端が二次転写位置２４１を通過していることが起こり、用紙Ｓ２上において本来の位置よりも用紙後端側にずれた位置にトナー像が二次転写されることになる。
【００４７】
ループＬｐが小さすぎるとスキュー補正がうまくいかず、トナー像の先端の用紙Ｓ２への転写位置がずれると、トナー像の後端が用紙Ｓ２からはみだして用紙Ｓ２に転写されなくなることが生じてしまう。
これらを防止するには、用紙Ｓ２の先端がタイミングローラー３４に到達した時点でタイミングローラー３４の停止が完了していることが条件になる。つまり、用紙Ｓ２の繰り出し開始タイミングの前倒しは、用紙Ｓ２の先端がタイミングローラー３４に到達した時点でタイミングローラー３４が停止しているという条件の範囲内で行えることになる。
【００４８】
このことは、換言すればタイミングローラー３４、すなわちモーター７の減速開始から停止までに要する時間をより短縮できれば、その短縮分、用紙Ｓ２の繰り出し開始タイミングの前倒しが可能になって、紙間を短縮できることを意味する。このモーター７の減速開始から停止までに要する時間をより短縮するための制動制御として、本実施の形態ではモーター制御部６０による２相短絡切換制御が実行される。
【００４９】
以下、モーター制御部６０の構成、回転駆動時の制御および２相短絡制御の内容を具体的に説明する。
〔３〕モーター制御部６０の構成
図３は、モーター制御部６０の構成を示すブロック図である。
同図に示すようにモーター制御部６０は、回転制御部６１とモーター角取得部６２を備える。回転制御部６１は、２相短絡制御部６３を備え、モーター７の回転駆動時、停止までの制動時、停止時のそれぞれのときにスイッチング回路７０に対し、モーター７のコイルＵ，Ｖ，Ｗへの電流の供給と停止の切り換えを指示する駆動信号を出力する。駆動信号には、Ｕ+，Ｕ-，Ｖ+，Ｖ-，Ｗ+，Ｗ-の６種類が含まれる。
【００５０】
スイッチング回路７０は、回転制御部６１からの駆動信号に基づき、電源、ここではＤＣ＋２４Ｖ電源から出力される電流の、モーター７のコイルＵ，Ｖ，Ｗへの供給と停止を切り換える。スイッチング回路７０の構成については、後述する。
モーター７は、永久磁石が設けられたローター（不図示）の周囲に配置された固定子巻線である３つのコイルＵ，Ｖ，Ｗが配置されてなる、いわゆる２極３スロットの３相ブラシレスモーターである。３つのコイルＵ，Ｖ，Ｗは、Ｙ結線されている。また、モーター７には、電気角（以下、「モーター角」という。）で１２０°の間隔をあけて３つのホールセンサー８１，８２，８３が配置されている。
【００５１】
ホールセンサー８１〜８３のそれぞれは、ローターが回転すると、その回転角に応じてローターの回転位置を示すホール信号（図５）を出力する。出力されたホール信号は、モーター角検出部８０に入力される。
モーター角検出部８０は、入力されたホール信号に基づきローターの現在の回転位置（モーター角）を所定のサンプリング間隔ごとに検出して、その検出結果を順次、モーター角取得部６２に出力する。モーター角検出部８０は、モーター７に設けられていても良いし、モーター制御部６０に設けられていても良い。
【００５２】
モーター角取得部６２は、モーター角検出部８０からモーター角の検出結果が出力される度に、その検出結果を取得して、取得した検出結果を回転制御部６１に送る。
回転制御部６１は、モーター７の回転駆動時には、モーター７のコイルＵ，Ｖ，Ｗに回転磁界が生じるように、モーター角の検出結果に基づき６個の駆動信号Ｕ+〜Ｗ-をスイッチング回路７０に出力してモーター７への電流供給を実行させる。また、モーター７の停止時には、モーター７への電流供給の遮断を指示する駆動信号をスイッチング回路７０に出力する。
【００５３】
さらに、回転制御部６１は、モーター７を停止させる際の制動時には、２相短絡切換制御を実行すべく、スイッチング回路７０に対し、電源ＰからコイルＵ，Ｖ，Ｗへの電流供給を停止させつつ、モーター角の検出結果に基づき駆動信号Ｕ-，Ｖ-，Ｗ-の出力を切り換えて、短絡させる２つのコイルの組を予め決められた順番で切り換えさせる。２相短絡切換制御は、２相短絡制御部６３が担当する。
【００５４】
〔４〕スイッチング回路７０の構成
図４は、スイッチング回路７０の構成とモーター７との接続関係を示す図である。
同図に示すようにスイッチング回路７０は、ＦＥＴ（Field Effect Transistor）からなる６個のスイッチ素子７１〜７６を備える同期整流方式によるフルブリッジ型のインバーター回路である。
【００５５】
モーター７は、３相コイル端子ＴＵ，ＴＶ，ＴＷを有し、コイルＵの一方の端子がコイル端子ＴＵに接続され、コイルＶの一方の端子がコイル端子ＴＶに接続され、コイルＷの一方の端子がコイル端子ＴＷに接続され、コイルＵ〜Ｗのそれぞれの他方の端子は中性点７９に接続されている。
スイッチング回路７０のスイッチ素子７１は、電源Ｐからモーター７のコイル端子ＴＵへの通電経路９１に設けられ、スイッチ素子７２は、電源Ｐからモーター７のコイル端子ＴＶへの通電経路９２に設けられ、スイッチ素子７３は、電源Ｐからモーター７のコイル端子ＴＷへの通電経路９３に設けられている。
【００５６】
スイッチ素子７４は、モーター７のコイル端子ＴＵからアース（ＧＮＤ）への通電経路９４に設けられ、スイッチ素子７５は、モーター７のコイル端子ＴＶからアースへの通電経路９５に設けられ、スイッチ素子７６は、モーター７のコイル端子ＴＷからアースへの通電経路９６に設けられている。電源Ｐは、電源の正極側に相当し、アースは、電源の負極側に相当する。
【００５７】
スイッチ素子７１〜７６をコイル端子ＴＵ，ＴＶ，ＴＷを挟んで電源Ｐ側とアース側に分けたとき、スイッチ素子７１〜７３がハイサイドスイッチに、スイッチ素子７４〜７６がローサイドスイッチに、通電経路９１〜９３がハイサイド側の通電経路に、通電経路９４〜９６がローサイド側の通電経路になる。
スイッチ素子７１のゲートには、回転制御部６１からの駆動信号Ｕ+が入力され、スイッチ素子７２のゲートには、回転制御部６１からの駆動信号Ｖ+が入力され、スイッチ素子７３のゲートには、回転制御部６１からの駆動信号Ｗ+が入力され、スイッチ素子７４のゲートには、回転制御部６１からの駆動信号Ｕ-が入力され、スイッチ素子７５のゲートには、回転制御部６１からの駆動信号Ｖ-が入力され、スイッチ素子７６のゲートには、回転制御部６１からの駆動信号Ｗ-が入力される。
【００５８】
なお、各スイッチ素子７１〜７６に並列に接続されているダイオード７１ａ〜７６ａは、それぞれがスイッチ素子（ＦＥＴ）の寄生ダイオードを示している。この寄生ダイオード７１ａ〜７６ａは、電源Ｐからアースに向かう方向の電流を通過させず、その逆方向の電流を通過させる、すなわちコイルＵ〜Ｗ側から電源Ｐ側への一方向にのみ電流を流し、コイルＵ〜Ｗ側で発生した、電源Ｐよりも高電圧の電力を電源Ｐ側に逃がしてスイッチング回路７０を保護する、いわゆるフライホイールダイオードの機能を有している。
【００５９】
このような構成において、回転制御部６１は、モーター７の回転駆動時には、ホールセンサー８１〜８３から出力されるホール信号に基づき駆動信号Ｕ+〜Ｗ-のそれぞれのレベルをハイとローに切り換えて、モーター角の大きさに応じてスイッチ素子７１〜７６のオンとオフの組み合わせを切り換える。
図５は、モーター７の回転駆動時におけるホール信号と駆動信号の波形の例を示すタイミングチャートである。
【００６０】
同図に示すホール信号Ｕ相は、ホールセンサー８１のホール信号に対応し、ホール信号Ｖ相は、ホールセンサー８２のホール信号に対応し、ホール信号Ｗ相は、ホールセンサー８３のホール信号に対応している。ホール信号Ｕ〜Ｗ相は、モーター角が１８０°に達するごとにレベルがハイとローに交互に切り換わり、それぞれのレベル切換タイミングが６０°ごとにずれている。
【００６１】
駆動信号Ｕ+〜Ｗ-は、ホール信号Ｕ〜Ｗ相のレベル切換タイミングに応じてＯＮとＯＦＦとが切り換わる。ここで、各駆動信号のＯＮは、対応するスイッチ素子がオン（導通）になり、各駆動信号のＯＦＦは、対応するスイッチ素子がオフ（非導通）になることを意味する。
例えば、モーター角が０°〜６０°の間では、駆動信号Ｕ+とＶ-のみがＯＮになっているので、スイッチ素子７１と７５のみがオンになり、電源Ｐからの電流がスイッチ素子７１、コイル端子ＴＵ、コイルＵ、中性点７９、コイルＶ、コイル端子ＴＶ、スイッチ素子７５の順に流れる状態になる。
【００６２】
同様に、モーター角が６０°〜１２０°の間では、駆動信号Ｕ+とＷ-のみがＯＮになっているので、スイッチ素子７１と７６のみがオンになり、電源Ｐからの電流がスイッチ素子７１、コイル端子ＴＵ、コイルＵ、中性点７９、コイルＷ、コイル端子ＴＷ、スイッチ素子７６の順に流れる状態になる。
他のモーター角についても同様であるが、例えば、モーター角が１８０°〜２４０°の間では、駆動信号Ｕ-とＶ+のみがＯＮになっているので、スイッチ素子７４と７２のみがオンになり、電源Ｐからの電流がスイッチ素子７２、コイル端子ＴＶ、コイルＶ、中性点７９、コイルＵ、コイル端子ＴＵ、スイッチ素子７４の順に流れる状態になる。
【００６３】
駆動信号Ｕ+とＵ-を見ると、それぞれがＯＮになっている区間は同じ１２０°であるが、駆動信号Ｕ+がＯＮの区間は０°〜１２０°の間であり、駆動信号Ｕ-がＯＮの区間は１８０°〜３００°の間になっており、６０°ずれている。駆動信号Ｕ+がＯＮになっているときにコイルＵに流れる電流の向きは、コイル端子ＴＵから中性点７９に向かう方向であるが、駆動信号Ｕ-がＯＮになっているときにコイルＵに流れる電流の向きは、中性点７９からコイル端子ＴＵに向かう方向になっており、駆動信号Ｕ+がＯＮのときとは逆方向になっている。これらのことは、コイルＶ，Ｗについて同様である。
【００６４】
モーター７の回転駆動時に、モーター角を０°を基準に、０°〜３６０°の範囲を１周期として、１周期単位で、駆動信号Ｕ+〜Ｗ-のレベルを同図に示すタイミングで切り換えることにより、モーター７のコイルＵ，Ｖ，Ｗに回転磁界を生じ、モーター７が３相同期電動機の原理で回転する。なお、図５では、いわゆる矩形波駆動方式の例を説明したが、これに代えてモーター７の回転駆動時にいわゆる正弦波駆動を用いることもできる。
【００６５】
〔５〕モーター７の制動時における２相短絡切換制御の内容
図６は、２相短絡切換制御時におけるモーター角と駆動信号との対応関係を示す図であり、図７は、２相短絡切換制御時におけるホール信号と駆動信号の波形の例を示すタイミングチャートである。なお、モーター７の制動時のモーター角は、モーター７の回転駆動時と同様にホール信号に基づき取得される。
【００６６】
図６と図７に示すようにモーター７の制動時には、モーター角が０°〜３６０°の範囲において、駆動信号Ｕ+，Ｖ+，Ｗ+の全てがＯＦＦになっている。これにより、モーター７の制動時には、スイッチ素子７１，７２，７３が同時にオフ（非導通）になるので、モーター７のコイルＵ，Ｖ，Ｗに電源Ｐからの電流が供給されない電流停止状態になる。
一方、駆動信号Ｕ-，Ｖ-，Ｗ-については、モーター角の大きさに応じてＯＮとＯＦＦが切り換わっている。具体的には、モーター角が０°〜６０°と１８０°〜２４０°の間では駆動信号Ｕ-とＶ-のみがＯＮ、６０°〜１２０°と２４０°〜３００°の間では駆動信号Ｕ-とＷ-のみがＯＮ、１２０°〜１８０°と３００°〜３６０°の間では駆動信号Ｖ-とＷ-のみがＯＮになっている。
【００６７】
駆動信号Ｕ-の出力波形は、図５に示す回転駆動時における駆動信号Ｕ+の出力波形と駆動信号Ｕ-の出力波形との論理和（ＯＲ）をとったものに相当する。
具体的には、駆動信号Ｕ+とＵ-のＯＮをＨレベルに、ＯＦＦをＬレベルに置き換えると、図５に示す回転駆動時におけるモーター角０°〜６０°の間では、駆動信号Ｕ+がＨレベル、Ｕ-がＬレベルであるので、これらのＯＲをとるとＨレベルになり、図７に示すモーター角０°〜６０°の間における駆動信号Ｕ-のＨレベル、すなわちＯＮに等しくなる。また、図５に示す回転駆動時におけるモーター角１２０°〜１８０°の間では、駆動信号Ｕ+とＵ-が両方ともＬレベルであるので、これらのＯＲをとるとＬレベルになり、図７に示すモーター角１２０°〜１８０°の間における駆動信号Ｕ-のＬレベル、すなわちＯＦＦに等しくなる。他の駆動信号Ｖ-，Ｗ-についても同じことがいえる。
【００６８】
図６に示すモーター７の制動時における駆動信号Ｕ+〜Ｗ-の出力波形の情報は、予め回転制御部６１の記憶部（不図示）に記憶されたものを読み出して取得するとしても良いし、これに代えて、回転駆動時における駆動信号Ｕ+〜Ｗ-の出力波形の情報（図５）に基づき演算部（不図示）が上記の論理和をとる演算を実行して生成するとしても良い。
図６と図７に示すモーター７の制動時における駆動信号Ｕ+〜Ｗ-の出力パターンにおいて、駆動信号Ｕ-とＶ-のみがＯＮになるということは、スイッチ素子７４と７５のみがオンになるので、３相コイル端子ＴＵ，ＴＶ，ＴＷのうち、コイル端子ＴＵとＴＶの第１の組のみが短絡、すなわち３つのコイルＵ，Ｖ，ＷのうちコイルＵとＶの組のみが短絡状態になることを意味する。
【００６９】
また、駆動信号Ｕ-とＷ-のみがＯＮになるということは、スイッチ素子７４と７６のみがオンになるので、コイル端子ＴＵとＴＷの第２の組のみが短絡、すなわちコイルＵとＷの組のみが短絡状態になることを意味し、駆動信号Ｖ-とＷ-のみがＯＮになるということは、スイッチ素子７５と７６のみがオンになるので、コイル端子ＴＶとＴＷの第３の組のみが短絡、すなわちコイルＶとＷの組のみが短絡状態になることを意味する。
【００７０】
つまり、２相短絡切換制御は、モーター角が０°〜６０°と１８０°〜２４０°の間では、コイルＵとＶの組のみが短絡状態になり、６０°〜１２０°と２４０°〜３００°の間ではコイルＵとＷの組のみが短絡状態になり、１２０°〜１８０°と３００°〜３６０°の間ではコイルＶとＷの組のみが短絡状態になるように、短絡させるコイルの組をモーター角の大きさに応じて順次切り換える制御といえる。また、スイッチ素子７４〜７６は、コイル端子の第１〜第３の組のうち任意の組を選択的に短絡状態に切換可能な短絡回路部を構成するものである。
【００７１】
図８は、モーター７の制動時に実行される２相短絡切換制御におけるスイッチング回路７０とコイルＵ，Ｖ，Ｗとの主な電流の流れの様子を模式的に示す図であり、モーター角で６０°ごとに（ａ）〜（ｆ）に分けて示されている。
図８（ａ）は、モーター角が０°〜６０°の間における電流の流れの様子を示す図である。図８（ａ）に示すようにモーター角が０°〜６０°の間には、スイッチ素子７４と７５のみがオンになってコイルＵとＶが短絡状態になる。このときモーター７の惰性回転により発生するコイルＵとＶの誘導起電力が短絡される。
【００７２】
コイルＵとＶの誘導起電力による電流Ｉａ（実線で示す）は、コイルＵから通電経路９４、スイッチ素子７４、通電経路９５、スイッチ素子７５、コイルＶを介してコイルＵに戻るループ回路に流れる。なお、スイッチ素子７４，７５がオンのためにアース電位と同程度の電位になっており、電源Ｐの電圧よりも低くなるので、電流Ｉａは、スイッチ素子７１，７２の寄生ダイオード７１ａ，７２ａを通って電源Ｐ側には流れない。
【００７３】
この電流Ｉａは、回転駆動時におけるモーター角０°〜６０°の間に流れる電流に対し、その流れが逆方向になる（図５の回転駆動時のタイミングチャート参照）。従って、モーター７の制動時にモーター角０°〜６０°の間に形成されるループ回路に流れる電流Ｉａによりモーター７にブレーキ力（制動力）が作用する。
コイルＵとＶに発生する誘導起電力、つまり電気エネルギーは、ループ回路のスイッチ素子７４，７５などの抵抗を流れるときに熱エネルギーとして消費されるが、この電気エネルギーの消費が行われ易いほど単位時間当たりに流れる電流量が多くなり、回転駆動時とは反対方向の回転磁界が強く作用して、それだけブレーキ力が強くなる。
【００７４】
一方、電流Ｉａとは別の破線で示す電流Ｉｂの流れは、モーター角が０°に至った時点でコイルＷに発生した誘導起電力が通電経路９３に設けられたスイッチ素子７３の寄生ダイオード７３ａを通過して通電経路９３を経て電源Ｐ側に流れる様子を示している。
モーター角が０°に至った時点とは、図８（ｆ）に示すモーター角３００°〜３６０°の範囲のうちモーター角が３６０°、すなわち０°に至った時点のことである。
【００７５】
図８（ｆ）に示すモーター角が３００°〜３６０°の範囲では、コイルＶとＷの組のみが短絡状態になり、コイルＷからスイッチ素子７６、７５、コイルＶを介してコイルＷに戻るループ回路に電流Ｉａが流れている状態である。
このループ回路に電流Ｉａが流れている状態でモーター角が３６０°（＝０°）に至った時点で、スイッチ素子７６がオンからオフに切り換わるので、この０°の時点で短絡状態になったコイルＵとＶの組に属しないコイルＷには、それまでと同じ向きの電流Ｉａを流し続けようとする誘電起電力が発生する。
【００７６】
この誘電起電力の電圧波形は、瞬時に立ち上がりピークを経て瞬時に立ち下がる波形であり、そのピーク値が電源Ｐの電圧よりも高い。そして、図８（ａ）に示すようにスイッチ素子７６はオフになっているので、図８（ａ）の破線で示すように誘電起電力による電流Ｉｂの全部がコイルＷからスイッチ素子７３の寄生ダイオード７３ａを通過して電源Ｐに向かって流れる。
【００７７】
スイッチング回路７０と電源Ｐは、電源線９９を介して接続されており、電源線９９には、図９に示すように電源Ｐの正極側と負極側を接続するいわゆるバイパスコンデンサー８８や、スイッチング回路７０、モーター制御部６０、全体制御部５０などに設けられたノイズ吸収用のコンデンサーや抵抗（不図示）、他のモーター５，６などを制御するモーター制御部（不図示）などの各種電気部品が接続されている。
【００７８】
このような構成においてスイッチング回路７０から電源線９９に流れた電流Ｉｂは、電源線９９に接続されているバイパスコンデンサー８８を含む各コンデンサーに流れ込み、その電荷が蓄積されることにより消費されたり、電源線９９や他の電気部品に含まれる抵抗成分によりジュール熱として消費されたりする。
つまり、コイルＷで発生した誘導起電力による電気エネルギーをスイッチング回路７０とは別のところで消費できることになる。なお、電流Ｉｂは、モーター角が０°に至った瞬間にだけ、例えば数ミリ秒程度だけ流れるものなので、スイッチング回路７０外の各電気部品に流れても各電気部品に支障が生じることはない。
【００７９】
これに対して３相短絡の場合には、モーター角が０°〜３６０°に亘ってスイッチ素子７４〜７６の全てがオンになる。従って、コイルＷの誘導起電力による電流Ｉｂは、ハイサイド側のスイッチ素子７３の寄生ダイオード７３ａを通って電源Ｐ側に流れるものとローサイド側のスイッチ素子７６に流れるものとに分流される。つまり、コイルＷの誘導起電力による電流Ｉｂの一部がスイッチング回路７０内で消費されることになる。
【００８０】
スイッチング回路７０内におけるエネルギー消費は、主に低抵抗のスイッチ素子７４〜７６によるものになるが、スイッチング回路７０外では、電源線９９に接続されている全てのコンデンサーや抵抗などの各電気部品による消費になるので、スイッチング回路７０内よりもエネルギー消費が行われ易い。このことは、コイルで発生した誘導起電力による電気エネルギーをできるだけスイッチング回路７０の外で消費した方がスイッチング回路７０内で消費するよりもエネルギー消費が行われ易いということに等しい。
【００８１】
上記のようにコイルで発生した誘導起電力による電気エネルギーが消費され易いほど、そのコイルによる回転駆動時とは反対方向の回転磁界が強く作用するようになってブレーキ力が強くなる。従って、コイルＷにおける誘導起電力による電気エネルギーの全部をスイッチング回路７０の外で消費できる２相短絡切換制御の方が、その一部しか消費できない３相短絡よりも強いブレーキ力をモーター７に作用させることができる。
【００８２】
上記では、モーター角が０°〜６０°の範囲の場合の例を説明したが、モーター角が６０°〜１２０°の範囲の場合には、図８（ｂ）に示す状態になる。
すなわち、スイッチ素子７４と７６のみがオンになってコイルＵとＷが短絡状態になる。この短絡状態のコイルＵとＷの誘導起電力による、回転駆動時とは逆方向の電流ＩａがコイルＵからスイッチ素子７４，７６、コイルＷを介してコイルＵに戻るループ回路に流れる。これにより、モーター７にブレーキ力が作用する。
【００８３】
なお、図８（ｂ）には電流Ｉｂが記載されていない。これは、次の理由による。
すなわち、モーター角が６０°に至った時点でスイッチ素子７５がオンからオフに切り換わり、コイルＶには、それまでと同様の電流を流し続けようとする誘導起電力が瞬時に生じる。ところが、モーター角が６０°に至った時点でのコイルＶに流れる電流の向きは、図８（ｂ）の破線で示す向きになる。この破線で示す電流の向きは、コイルＵ，Ｖ，Ｗの結線位置である中性点７９に向かう方向になっている。
【００８４】
モーター角が６０°に至った時点では、コイルＵには、中性点７９からスイッチ素子７４に向かう電流が流れている。このことから誘導起電力によりコイルＶに瞬時に流れる電流は、破線で示すようにコイルＵに流れる電流と合流してスイッチング回路７０内を流れるが、スイッチング回路７０外の電源Ｐ側に向かってはほとんど流れないからである。このことは、モーター角が１８０°、３００°のそれぞれに至った時点でも同様である。
【００８５】
モーター角が１２０°〜１８０°の範囲における電流Ｉａの流れは、図８（ｃ）に示され、１８０°〜２４０°の範囲における電流Ｉａの流れは、図８（ｄ）に示され、２４０°〜３００°の範囲における電流Ｉａの流れは、図８（ｅ）に示され、３００°〜３６０°の範囲における電流Ｉａの流れは、図８（ｆ）に示されている。
図８（ｃ）に示すようにモーター角が１２０°に至った時点で短絡状態になったコイル端子ＴＶとＴＷの組に属しないコイル端子ＴＵに接続されるコイルＵに生じる誘導起電力による電流Ｉｂがスイッチ素子７１の寄生ダイオード７１ａを通過して電源Ｐ側に瞬時に流れる。また、図８（ｅ）に示すようにモーター角が２４０°に至った時点で短絡状態になったコイル端子ＴＵとＴＷの組に属しないコイル端子ＴＶに接続されるコイルＶに生じる誘導起電力による電流Ｉｂがスイッチ素子７２の寄生ダイオード７２ａを通過して電源Ｐ側に瞬時に流れる。
【００８６】
つまり、本実施の形態の２相短絡切換制御では、制動時においてモーター角が０°，１２０°，２４０°のそれぞれに至った時点で瞬時に発生した高電圧の誘導起電力による電流Ｉｂをスイッチング回路７０の外で消費できる。
従って、３相短絡のようにスイッチング回路７０内でしか消費できない場合に比べて、ブレーキ力が強く作用して、モーター７の停止までに要する時間を短縮できる。本願発明者らの実験では一例として、２相短絡切換制御を用いれば３相短絡に対して停止開始から停止までに要する時間が約１５％、短縮されることが認められた。
【００８７】
また、電流Ｉｂは、モーター角が０°，１２０°，２４０°のそれぞれに至った瞬間にのみ流れるものなので、例えば停止までの間に亘って流れ続ける場合にこれを蓄えるための大型の蓄電池などをスイッチング回路７０とは別に用意する必要もなく、回路構成の簡素化を図れる。
さらに、スイッチング回路７０に対する駆動信号Ｕ+〜Ｗ-の出力を切換制御すれば良く、摩擦力によってタイミングローラー３４の回転を規制する機械式のブレーキ装置を別に配置する構成に比べて遥かに低コストかつ装置小型化を実現できる。
【００８８】
なお、モーター７の回転駆動時の回転を正回転としたとき、逆方向への回転（逆回転）が行われる場合には、逆回転中に取得されるモーター角は、正回転時とは逆になり、３６０°，３５９°・・１°，０°の順に取得される。そして、逆回転中のモーター７の回転駆動時および制動時における各コイルＵ，Ｖ，Ｗへの電流の切り換えは、取得されたモーター角に基づき、図５、図８に示すタイミングとは逆順に実行される。
【００８９】
本発明は、モーター制御装置や画像形成装置などに限られず、３相ブラシレスモーターの回転を制御するモーター制御方法であるとしてもよい。また、その方法をコンピュータが実行するプログラムであるとしてもよい。さらに、本発明に係るプログラムは、例えばフレキシブルディスク等の磁気ディスク、ＤＶＤ−ＲＯＭなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００９０】
＜変形例＞
以上、本発明を実施の形態に基づいて説明してきたが、本発明は、上述の実施の形態に限定されないのは勿論であり、以下のような変形例が考えられる。
（１）上記実施の形態では、用紙Ｓを搬送するタイミングローラー３４の制動制御に２相短絡切換制御を適用する例を説明したが、これに限られない。例えば、搬送ローラー３３の制動制御にも２相短絡切換制御を適用するとしても良い。この場合、モーター６として３相ブラシレスモーターが使用される。
【００９１】
また、給紙カセット３１から繰り出された用紙Ｓを搬送するローラーを回転駆動するモーターを停止させる際の制動制御に限られず、例えば搬送される原稿の画像を読み取るスキャンジョブを実行する画像読取装置におけるスキャナーや搬送ローラーの制動制御に適用することもできる。
図１０は、画像読取装置１００の構成例を示す図である。
【００９２】
同図に示すように画像読取装置１００は、イメージリーダー部１０１と原稿搬送部１０２を備え、固定光学系の一つであるシートスルー方式と移動光学系であるスキャナー移動方式のいずれかを選択して原稿画像の読み取りが可能な構成になっている。
シートスルー方式で原稿画像を読み取る場合には、イメージリーダー部１０１のスキャナー１１２が読取ガラス１１１の直下のシートスルーポジション（読取位置）に静止した状態で、原稿搬送部１０２により搬送された原稿が読取ガラス１１１の上面を通過する際にその原稿にスキャナー１１２のランプ１１４からの光を照射させる。原稿面からの反射光が第１ミラー１１３、第２ミラー１１５および第３ミラー１１６により光路変更され、集光レンズ１１７によってＣＣＤラインセンサー１１８の受光面で結像される。
【００９３】
一方、スキャナー移動方式で原稿画像を読み取る場合には、原稿搬送部１０２が上方に開放された状態で原稿が読取ガラス１１９上にセットされると、スキャナー１１２が同図の右方向に移動する。この移動の際に第２ミラー１１５と第３ミラー１１６が対となって、スキャナー１１２と同方向かつ移動速度の半分の速度で移動して、原稿面から集光レンズ１１７までの距離（光路長）が一定に保たれるようになっている。
【００９４】
スキャナー１１２の移動の間に読取ガラス１１９上で静止している原稿にランプ１１４からの光が照射され、その反射光が第１ミラー１１３などを介してＣＣＤラインセンサー１１８の受光面で結像される。
スキャナー１１２による原稿面への光の照射が終了すると、スキャナー１１２がリターンして、シートスルーポジションまで戻るとスキャナー１１２が停止する。スキャナー１１２の移動は、スキャナー移動モーター１０９の回転駆動力により行われる。
【００９５】
スキャナー移動モーター１０９は、３相ブラシレスモーターであり、移動するスキャナー１１２を停止させる際の制動時に２相短絡切換制御が用いられる。
これにより、スキャナー１１２の停止までに要する時間をより短縮することができる。スキャナー１１２の停止までに要する時間を短縮できれば、それだけ、次に実行されるシートスルー方式によるスキャンジョブの開始を早めることができ、スキャンジョブの生産性を向上することができる。
【００９６】
一方、原稿搬送部１０２は、複数枚の原稿を１枚ずつ読取位置に向かって搬送するものであり、ピックアップローラー１２３、捌きローラー対１２５、タイミングローラー１２６などの原稿搬送用の複数のローラーを備える。ここで、タイミングローラー１２６は、３相ブラシレスモーター（不図示）により回転駆動され、他のローラーのそれぞれは、ＤＣブラシレスモーター（不図示）により回転駆動される。
【００９７】
原稿搬送時には、昇降板１２２の上昇により原稿給紙トレイ１２０上に載置された原稿束の先端部が持ち上げられて、最上位の原稿の上面にピックアップローラー１２３が当接する。この状態で、ピックアップローラー１２３が一定時間回転することにより、原稿給紙トレイ１２０から原稿が搬送路１２４内へ繰り出される。原稿が２枚以上重なった状態で繰り出されても、捌きローラー対１２５により最上位の原稿だけが通過するように捌かれ、その最上位の原稿（以下、「原稿Ｓ１」という。）が１枚目の原稿として捌きローラー対１２５を通過して、タイミングローラー１２６に向かって搬送される。
【００９８】
タイミングローラー１２６は原稿Ｓ１の先端が到着した時点では停止しているが、捌きローラー対１２５の回転は継続しているので、原稿Ｓ１の先端部にループが形成される。これにより、原稿Ｓ１の傾きが矯正され、その後、所定のタイミングでタイミングローラー１２６の回転が開始されると、原稿Ｓ１がタイミングローラー１２６により下流側に搬送される。なお、搬送された原稿Ｓ１の後端が捌きローラー対１２５を通過すると、捌きローラー対１２５の回転が停止される。
【００９９】
タイミングローラー１２６を通過した原稿Ｓ１は、その下流側に配置された搬送ローラー１２７により、さらに下流側に搬送され、読取ガラス１１１の上面を通過した後、搬送ローラー１２８，１２９の順にさらに下流側に搬送され、排出ローラー１３０により排出されて、原稿排紙トレイ１２１上に収容される。
２枚目の原稿（以下、「原稿Ｓ２」という。）の搬送開始は、ピックアップローラー１２３と捌きローラー対１２５の回転開始により行われる。具体的には、原稿Ｓ１の後端がタイミングローラー１２６を通過した後、タイミングローラー１２６が一旦停止した状態で原稿Ｓ２の先端がタイミングローラー対１２６のニップに到達するようなタイミングでピックアップローラー１２３と捌きローラー対１２５の回転が開始される。
【０１００】
回転中のタイミングローラー１２６を一旦停止させる際の制動制御として、タイミングローラー１２６を回転駆動する３相ブラシレスモーターに対して２相短絡切換制御が用いられる。これにより、タイミングローラー１２６の停止までに要する時間を短縮できる。
タイミングローラー１２６の停止までに要する時間を短縮できれば、それだけ原稿Ｓ２の搬送開始タイミングを早められることになる。原稿Ｓ２の搬送開始タイミングが早められるということは、原稿Ｓ１とＳ２の間隔（上記の紙間に相当）が短縮され、原稿Ｓ１とＳ２の間隔が短縮されるということは、単位時間当たりに読み取り可能な原稿の枚数が多くなり、それだけスキャンジョブの生産性を向上することができる。
【０１０１】
図１１は、３相ブラシレスモーターに対するブレーキ（制動）時と駆動時に出力される駆動命令とブレーキ命令のそれぞれのタイミングチャートとモーター回転数のグラフの例を示す図である。ここで、駆動命令のＯＮとは、図５に示す駆動信号Ｕ+〜Ｗ-がモーター制御部６０からスイッチング回路７０に出力されることを示し、ブレーキ命令のＯＮとは、図７に示す駆動信号Ｕ+〜Ｗ-がモーター制御部６０からスイッチング回路７０に出力されることを示している。なお、各命令のＯＦＦは、それぞれの出力の停止を示す。
【０１０２】
図１１に示すように時点ｔ２１で駆動命令がＯＮされ、ブレーキ命令がＯＦＦされると、３相ブラシレスモーターの回転が開始されてモーター回転数が上昇し（加速区間）、時点ｔ２３付近でモーター回転数が一定に落ち着く。そして、時点ｔ２２で駆動命令がＯＦＦ、ブレーキ命令がＯＮに切り換わると、２相短絡切換制御が開始され、モーター回転数が減少していき（減速区間）、時点ｔ２４で３相ブラシレスモーターが停止する。
【０１０３】
この停止後もブレーキ状態が維持され、このときも２相短絡切換制御を継続して実行することができる。時点ｔ２１以前のブレーキ状態でも同様とすることができる。換言すれば、モーターを回転させていない（停止している）期間である待機中の間にも２相短絡切換制御を実行する構成をとることができる。
この待機中にも２相短絡切換制御を実行することを、例えばスキャナー移動モーター１０９に適用すれば、読取部としてのスキャナー１１２がシートスルーポジションに停止中に２相短絡によるブレーキ力が作用し続けることになる。
【０１０４】
例えば、待機中に画像読取装置１００に外部から何らかの衝撃が加えられ、スキャナー１１２に対して移動方向への外力が作用し、その外力がスキャナー移動モーター１０９に伝わってスキャナー移動モーター１０９を回転させるような場合でも、その回転に対して２相短絡切換制御によるブレーキ力が作用するので、その外力によるスキャナー１１２の移動範囲を極力小さく抑えることができる。
【０１０５】
スキャナー１１２がシートスルーポジションから大きく外れた位置まで移動してしまうと、次にシートスルー方式によるスキャンジョブを実行する際、その開始に先立ってスキャナー１１２をシートスルーポジションまで戻す動作を行う必要がある。スキャナー１１２の移動範囲が大きいほど、シートスルーポジションまで戻すのに要する時間がかかり、スキャンジョブの開始が遅れることになる。従って、上記のように待機中にも２相短絡切換制御を実行することにより、スキャンジョブをより早く開始でき、スキャンジョブの生産性の向上を図ることができる。なお、図１１に示すタイミング制御は、他のタイミングローラー１２６などに適用することもできる。
【０１０６】
（２）上記実施の形態では、モーター７とスキャナー移動モーター１０９などに３相ブラシレスモーターを適用する構成例を説明したが、これに限られない。ブレーキ力をより強く作用させたいモーターに３相ブラシレスモーターを適用し、そのモーターの制動時に２相短絡切換制御を実行するとしても良い。
例えば、感光体ドラム１１を回転駆動するモーターに３相ブラシレスモーターを適用して感光体ドラム１１の停止の際に２相短絡切換制御を実行する構成とすることができる。回転する感光体ドラム１１を停止する度にそのときの制動開始から停止までの間の惰性による感光体ドラム１１の回転数を少なくすることができる。
【０１０７】
感光体ドラム１１表面に、残留物を清掃するためのクリーニングブレードなどからなるクリーナー１６が当接されている構成では、感光体ドラム１１表面と、クリーナー１６の感光体ドラム１１表面との当接部分とが長期に亘って徐々に摩耗し易い。この摩耗は、感光体ドラム１１の累積回転数が増えるほど進行するので、２相短絡切換制御の適用により停止の度に感光体ドラム１１の制動開始から停止までの間の回転数（時間）を少なくできれば、それだけ感光体ドラム１１の累積回転数が少なくなり、摩耗の進行を抑制して、感光体ドラム１１およびクリーナー１６の寿命の向上に繋がる。
【０１０８】
また、クリーナー１６による摩耗に限られず、感光体ドラム１１の累積回転数が増えるに伴って感光体ドラム１１の寿命が短くなるような構成に適用できる。このことは、中間転写ベルト２１についても同様であり、トナー像などの画像を担持する感光体ドラム１１や中間転写ベルト２１などの像担持体を備える画像形成装置において、像担持体の回転停止の際の制動制御に適用できる。
【０１０９】
また、ホールセンサー８１〜８３が設けられる構成としたが、モーター角を取得することができれば良く、ホールセンサー以外の磁気センサーなどを用いることもできる。さらに、センサーレス方式によるローターの回転により発生する起電力（誘起電圧）の波形に基づきモーター角を検出して取得する構成とすることも可能である。また、モーターの回転軸の回転角（機械角）を検出するロータリーエンコーダーを設け、検出された回転角と電気角とが一致する構成であれば、検出された回転角をモーター角として取得し、不一致の構成であれば、検出された回転角を電気角に変換したものをモーター角として取得することができる。
【０１１０】
（３）上記実施の形態では、３相ブラシレスモーターを２極３スロットの構成例を説明としたが、モーター制動時の２相短絡切換制御が実行可能な構成であれば、極数やスロット数が上記のものに限られることはない。また、３相ブラシレスモーターをＹ結線のものを用いたが、例えばΔ結線のものを用いる構成にも適用できる。
また、電源からモーター７のコイルＵへの電流の供給と停止を切り換えるスイッチ部として、ＦＥＴからなるスイッチ素子７１を用い、スイッチ素子７１の寄生ダイオード７１ａをフライホイールダイオードとして利用する構成例を説明したが、これに限られない。
【０１１１】
例えば、寄生ダイオード７１ａとは別のダイオードをフライホイールダイオードとしてスイッチ素子７１に並列接続して、スイッチ素子７１とそのダイオードとでスイッチ部を構成するとしても良い。他のスイッチ素子７２〜７６についても同様である。
また、スイッチング回路７０をフルブリッジ型のものを用いるとしたが、これに限られず、コイル端子ＴＵ，ＴＶ，ＴＷのそれぞれへの電流の供給と停止、および３相コイル端子ＴＵ，ＴＶの組、ＴＶ，ＴＷの組、ＴＷ，ＴＵの組のうち任意の組を選択的に短絡状態に切換可能な回路であれば良い。
【０１１２】
（４）上記実施の形態では、画像形成装置の一例としてのタンデム型のプリンター１の構成例を説明したが、これに限られない。画像形成装置としては、例えば複写機やファクシミリ装置、複合機（ＭＦＰ：Multiple Function Peripheral）等などに適用できる。
また、搬送中の用紙Ｓや原稿などのシートをループ形成のために一時停止する場合に限られず、例えばループ形成しなくても搬送中のシートを画像形成や原稿読取のタイミングに至るのを待つために、一時停止後に搬送を再開する場合の一時停止までのブレーキ時の制動制御にも適用できる。
【０１１３】
すなわち、連続して搬送される２枚のシートのうち、先行のシートをシート搬送方向上流側の第１搬送ローラー（搬送ローラー３３、捌きローラー対１２５など）、下流側の第２搬送ローラー（タイミングローラー３４、１２６など）の順に搬送し、先行のシートの搬送方向後端が第２搬送ローラーを通過してから、次のシートの搬送方向先端が第１搬送ローラーを通過後、第２搬送ローラーに至るまでの間に第２搬送ローラーを停止させる際に、第２搬送ローラーを回転駆動する３相ブラシレスモーターの制動制御を行うモーター制御部６０（モーター制御装置）を有するシート搬送装置に適用でき、このようなモーター制御装置を備える画像形成装置や画像読取装置などを含む画像処理装置に適用できる。
【０１１４】
さらに、画像処理装置に限られず、３相ブラシレスモーターを駆動源に有する装置において、３相ブラシレスモーターの停止までの間の制動制御として２相短絡切換制御を実行するモーター制御装置に適用できる。
また、上記実施の形態及び上記変形例の内容をそれぞれ可能な限り組み合わせるとしても良い。
【産業上の利用可能性】
【０１１５】
本発明は、３相ブラシレスモーターの制動時の回転制御を実行するモーター制御装置、これを有するシート搬送装置などに広く適用することができる。
【符号の説明】
【０１１６】
１      プリンター
７，１０９      ３相ブラシレスモーター
３４      タイミングローラー
３８      レジストセンサー
６０      モーター制御部
６１      回転制御部
６２      モーター角取得部
６３      ２相短絡制御部
７０      スイッチング回路
７１，７２，７３，７４，７５，７６      スイッチ素子
７１ａ，７２ａ，７３ａ，７４ａ，７５ａ，７６ａ      寄生ダイオード
８０      モーター角検出部
８１，８２，８３      ホールセンサー
９１，９２，９３，９４，９５，９６      通電経路
９９      電源線
Ｉａ，Ｉｂ      電流
Ｐ      電源
Ｕ，Ｖ，Ｗ      コイル
ＴＵ，ＴＶ，ＴＷ      ３相コイル端子
【図１】
0006459439.tif 000002
【図２】
0006459439.tif 000003
【図３】
0006459439.tif 000004
【図４】
0006459439.tif 000005
【図５】
0006459439.tif 000006
【図６】
0006459439.tif 000007
【図７】
0006459439.tif 000008
【図８】
0006459439.tif 000009
【図９】
0006459439.tif 000010
【図１０】
0006459439.tif 000011
【図１１】
0006459439.tif 000012